(57)【特許請求の範囲】
【請求項１】
発光素子と、長尺状の導光部材とを有し、前記発光素子からの光を前記導光部材の内部で導光して長手方向に沿った光出射面から被照射体に光を照射する照明装置であって、
前記導光部材は、透光本体と、前記透光本体の前記長手方向の全体にわたって設けられた凸部と、前記凸部の一部から延長して形成された突起を備え、
前記凸部を支える支え部と、前記導光部材を保持する取付凹部と、前記突起が係合される係合部が形成されたホルダー部材を備えることを特徴とする照明装置。
【請求項２】
請求項１に記載の照明装置であって、
前記突起は、前記導光部材の長手方向において一方の端部に向けて中心から偏った位置に設けられていることを特徴とする照明装置。
【請求項３】
請求項２に記載の照明装置であって、
前記係合部は、前記ホルダー部材の長手方向に沿った壁面に設けられており、前記突起が挿入される孔部であることを特徴とする照明装置。
【請求項４】
請求項１から３のいずれか１つに記載の照明装置であって、
前記ホルダー部材の長手方向における端部には、前記凸部が嵌入される嵌入孔が形成されていることを特徴とする照明装置。
【請求項５】
請求項４に記載の照明装置であって、
前記嵌入孔には、前記導光部材の長手方向への移動を規制する規制部が設けられていることを特徴とする照明装置。
【請求項６】
請求項１から５のいずれか１つに記載の照明装置であって、
前記ホルダー部材の長手方向における端部には、前記凸部を支える支え部が設けられていることを特徴とする照明装置。
【請求項７】
請求項１から６のいずれか１つに記載の照明装置と、
前記被照射体を載置する透明な原稿台と、前記被照射体を読み取る読取り部を備えたことを特徴とする画像読取装置。
【請求項８】
請求項７に記載の画像読取装置と、
前記画像読取装置により読取られた前記被照射体の画像を記録用紙に印刷する印刷部と備えたことを特徴とする画像形成装置。
【発明の詳細な説明】
【技術分野】
【０００１】
本発明は、照明装置、画像読取装置及びそれを備えた画像形成装置に関する。
【背景技術】
【０００２】
この種の画像読取り装置においては、ガラス上で原稿を副走査方向に搬送しつつ、ガラスの下方で、光源部により原稿を照明して、ＣＣＤ(Charge Coupled Device)等の撮像
素子により原稿を主走査方向に繰り返し走査して読取ったり、あるいはガラス上に原稿を位置決めして載置し、ガラスの下方で、光源部及び撮像素子等を副走査方向に移動させつつ、光源部により原稿を照明して、撮像素子により原稿を主走査方向に繰り返し走査して読取ったりしている。また、原稿を照明する光源部としては、種々のものがあり、蛍光灯やＬＥＤアレイ等が用いられている。
【０００３】
このような画像読み取り装置では、原稿を照明する光を光源等が発光し、導光部材等を経由して原稿面に光が照射され、原稿面で反射された反射光（読取光）を所定の光路に沿ってＣＣＤ等の撮像素子まで到達させて撮像している。このとき、導光部材の内部で光を導光しつつ散乱反射させることで出射面から光を取り出している。よって、原稿等の被照射体に均一に光を照射するためには、光源と導光部材を設計された位置関係に正しく配置する必要がある。
【０００４】
上述した問題を解決するために特許文献１では、導光部材に一体に複数の突起部を形成し、ケーシングに形成された凹部に突起部を圧入して嵌合させ、導光部材の位置決めを正確かつ容易に行うことが提案されている。
【先行技術文献】
【特許文献】
【０００５】
【特許文献１】特開平１０−１９０９５９号公報
【発明の概要】
【発明が解決しようとする課題】
【０００６】
しかしながら特許文献１では、導光部材に一体に複数の突起部を形成しているため、光源から導光部材に入射した光が導光部材の内部を伝搬して均一に拡がる際に、光の一部が突起部によって散乱されることや、突起部から光の一部が外部に取り出されることや、突起部に光量が集中することにより、光出射面から被照射体への光量に不均一な領域が発生する可能性がある。また、光量に不均一な領域が発生しないようにするためには、突起部の形成位置や形状などの自由度が低下してしまうという課題もある。
【０００７】
また、導光部材は長尺形状であるため長手方向において強度が不足し、例えば読取動作時の走査による振動等によって撓みが発生しやすく、撓みや反りによって導光部材内部での光の伝搬が乱れ、被照射体への光量に不均一な領域が発生してしまうという課題もあった。
【０００８】
そこで、本発明は、上記従来の問題点に鑑みなされたものであり、長尺状の導光部材を正確かつ容易に位置合わせしつつ導光部材の反りを低減し、且つ被照射体へ照射される光量の均一化を図ることが可能な照明装置、画像読取装置及びそれを備えた画像形成装置を提供することを目的とする。
【課題を解決するための手段】
【０００９】
上記課題を解決するために、本発明の照明装置は、発光素子と、長尺状の導光部材とを有し、前記発光素子からの光を前記導光部材の内部で導光して長手方向に沿った光出射面から被照射体に光を照射する照明装置であって、前記導光部材は、透光本体と、前記透光本体の前記長手方向の全体にわたって設けられた凸部と、前記凸部の一部から延長して形成された突起を備え、前記凸部を支える支え部と、前記導光部材を保持する取付凹部と、前記突起が係合される係合部が形成されたホルダー部材を備えている。
【００１０】
このような本発明の照明装置では、長手方向に沿って導光部材に凸部が形成されているから、長手方向における機械的強度が増加し、撓みの発生を抑制して光照射が不均一になる可能性を低減できる。また、凸部に突起が形成されており、ホルダー部材に係合部が形成されていることにより、導光部材を正確かつ容易に位置合わせすることができる。また導光部材は主走査方向に対しても上下方向に対しても規制されるため、振動等による撓みや反りも抑制される。さらに、凸部から突起に光が到達する可能性を著しく低減できるため、突起による光の散乱や、光量の集中や突起からの光の取り出し等を抑制し、光量に不均一な領域が発生する可能性を低減することができる。
【００１３】
また、本発明の照明装置では、前記突起は、前記導光部材の長手方向において一方の端部に向けて中心から偏った位置に設けられている。
【００１４】
このように、突起が中心から偏った位置に設けられていることから、取り付け作業者が突起の位置を容易に視認でき、導光部材の誤った取り付けを防止できる。
【００１５】
また、本発明の照明装置では、前記係合部は、前記ホルダー部材の長手方向に沿った壁面に設けられており、前記突起が挿入される孔部である。
【００１６】
このように係合部を孔部として設けることにより、取り付け作業者が突起の位置が通常と異なることに気付かなかったとしても、突起は孔部が形成されていない壁部と干渉して導光部材を取り付けることはできず、誤った取り付けを確実に防止できる。
【００１７】
また、本発明の照明装置では、前記ホルダー部材の長手方向における端部には、前記凸部が嵌入される嵌入孔が形成されている。
【００１８】
このようにホルダー部材の端部に嵌入孔が形成されていることにより、凸部の上下方向への移動を規制して導光部材の回転を規制でき、正確かつ容易に位置合わせすることができるため、被照射体へ照射される光量の均一化を図ることが可能となる。
【００１９】
また、本発明の照明装置では、前記嵌入孔には、前記導光部材の長手方向への移動を規制する規制部が設けられている。
【００２０】
このように嵌入孔に規制部を設けていることにより、導光部材の端面と発光素子とは距離を一定に保たれる。よって、発光素子と導光部材との位置も正確かつ容易に位置合わせすることができ、被照射体へ照射される光量の均一化を図ることが可能となる。また、導光部材の端面が発光素子と接触して破損することも防止できる。
【００２１】
また、本発明の照明装置では、前記ホルダー部材の長手方向における端部には、前記凸部を支える支え部が設けられている。
【００２２】
支え部をホルダー部材の長手方向端部にまで形成することにより、導光部材の長手方向端部での撓みを規制し、被照射体へ照射される光量の均一化を図ることが可能となる。
【００２３】
一方、本発明の画像読取装置は、上記本発明の照明装置と、前記被照射体を載置する透明な原稿台と、前記被照射体を読み取る読取り部を備えている。
【００２４】
このような画像形成装置においても、上記本発明の照明装置と同様の作用効果を奏することができる。
【００２５】
一方、本発明の画像形成装置は、上記本発明の画像読取り装置と、前記画像読取装置により読取られた前記被照射体の画像を記録用紙に印刷する印刷部とを備えている。
【００２６】
このような画像形成装置においても、上記本発明の画像読取り装置と同様の作用効果を奏することができる。
【発明の効果】
【００２７】
本発明では、長尺状の導光部材を正確かつ容易に位置合わせしつつ導光部材の反りを低減し、且つ被照射体へ照射される光量の均一化を図ることが可能な照明装置、画像読取装置及びそれを備えた画像形成装置を提供できる。
【図面の簡単な説明】
【００２８】
【図１】本発明が適用される画像形成装置の構成例を示す概略斜視図である。
【図２】本発明が適用される画像形成装置の構成例を示す概略断面図である。
【図３】本発明が適用される原稿読取装置の構成例を示す概略断面図である。
【図４】第１実施形態に係る光源ユニットの概略断面図である。
【図５】本実施形態に係る光源ユニットの概略構成を示す概略斜視図である。
【図６Ａ】導光部材の全体斜視図である。
【図６Ｂ】導光部材の端部を拡大した部分拡大斜視図である。
【図６Ｃ】導光部材の長手方向中央周辺を拡大した部分拡大斜視図である。
【図７】導光部材を取り除いた状態の光源ユニットを示す概略斜視図である。
【図８】光源ユニットの一方の端部を拡大して示す概略斜視図である。
【図９】図７に示したＢ−Ｂ’線のＢ側端部での断面を示す断面斜視図である。
【図１０】図７に示したＢ−Ｂ’線のＢ’側端部での断面を示す断面斜視図である。
【図１１】導光部材をホルダー部材に取り付けた場合の断面斜視図である。
【図１２】導光部材を取付凹部に取り付けた状態を示す模式断面図である。
【図１３】開口部での導光部材と段差部との関係を示す模式平面図である。
【図１４Ａ】第２実施形態に係る導光部材の全体斜視図である。
【図１４Ｂ】第２実施形態に係る導光部材の端部を拡大した部分拡大斜視図である。
【図１４Ｃ】第２実施形態に係る導光部材の長手方向中央周辺を拡大した部分拡大斜視図である。
【発明を実施するための形態】
【００２９】
（第１実施形態）
以下、本発明の実施の形態について、図面を参照して詳細に説明する。先ずは、本発明が適用される原稿読取装置及び画像形成装置の構成例について説明する。
【００３０】
図１は本願の画像形成装置１００を示す概略斜視図である。図２は、本願の画像形成装置１００を示す概略断面図である。画像形成装置１００は、装置本体１１０および自動原稿送り装置１２０を備え、さらに、装置本体１１０は、原稿の画像を読み取る原稿読取部９０と、原稿が載置される原稿載置台９２とを備えている。
【００３１】
原稿読取部９０は、装置本体１１０の上部に設けられている。原稿載置台９２は、透明ガラスで形成され、原稿読取部９０の上側に設けられている。自動原稿送り装置１２０は、原稿載置台９２の上側に取り付けられており、原稿載置台９２の上に自動で原稿を搬送する。また、自動原稿送り装置１２０は、装置本体１１０と自動原稿送り装置１２０とを
連結する軸回りに回動自在に構成され、原稿載置台９２の上を開放することにより原稿を手置きで置くことができるようになっている。
【００３２】
自動原稿送り装置１２０、原稿読取部９０および原稿載置台９２により、本発明にかかる原稿読取装置が構成されている。
【００３３】
画像形成装置１００は、原稿読取装置により読み取られた原稿の画像又は外部から受信した画像データに応じて、所定の用紙（原稿）に対して多色及び単色の画像を形成する。
【００３４】
装置本体１１０は、露光ユニット１、現像器２、感光体ドラム３、クリーナユニット４、帯電器５、中間転写ベルトユニット６、定着ユニット７および２次転写ユニット１０を備える構成とされている。本画像形成装置において扱われる画像データは、ブラック（Ｋ）、シアン（Ｃ）、マゼンタ（Ｍ）、イエロー（Ｙ）の各色を用いたカラー画像に応じたものである。従って、現像器２、感光体ドラム３、帯電器５、クリーナユニット４は、各色に応じた４種類の潜像を形成するようにそれぞれ４個ずつ設けられ、それぞれブラック、シアン、マゼンタ、イエローに設定され、これらによって４つの画像ステーションが構成されている。
【００３５】
画像形成装置１００は、さらに、給紙カセット８１、手差し給紙カセット８２、排紙トレイ９１を備えている。
【００３６】
図３は、図１，２に示す原稿読取装置、すなわち自動原稿送り装置１２０、原稿読取部９０および原稿載置台９２の概略縦断面図である。
【００３７】
原稿読取部９０は、光源部１３０を含む光源ユニット１４０、ミラーユニット１４１、集光レンズ１４２及び撮像素子（ここではＣＣＤ）１４３を備えている。
【００３８】
原稿載置台９２は、透明なガラス板からなり、主走査方向の両端部が原稿読取部９０の枠体に載置されている。自動原稿送り装置１２０は、副走査方向（図２中の矢印Ｘに沿う方向）に沿った軸線回りに（例えばヒンジによって軸支され）原稿読取部９０に対して開閉可能となっている。自動原稿送り装置１２０の下面は、原稿読取部９０の原稿載置台９２上に載置された原稿Ｇを上から押さえる原稿カバー５０（図４参照）を兼ねている。
【００３９】
原稿読取装置は、原稿固定方式により原稿Ｇを固定して原稿画像を読み取ると共に、原稿移動方式により原稿Ｇを移動させて原稿画像を読み取るように構成されている。
【００４０】
原稿固定方式によって原稿Ｇの原稿画像を読み取る場合、光源ユニット１４０は原稿載置台９２に載置される原稿Ｇに対して光を原稿載置台９２を介して照射しながら一定の速度で副走査方向Ｘの一方側に移動して原稿Ｇの画像を走査する。このとき、光源部１３０は、原稿載置台９２の下から原稿Ｇが載置される載置面に向けて光を照射する。それと同時にミラーユニット１４１は光源ユニット１４０の移動速度の１／２の移動速度で同じく副走査方向Ｘの一方側に移動する。
【００４１】
光源ユニット１４０にて照明された原稿Ｇからの反射光（読取光）は、光源ユニット１４０に設けられた第１ミラーで反射したのち、ミラーユニット１４１の第２及び第３ミラーによって光路変換され、集光レンズ１４２を介して撮像素子１４３に結像し、ここで原稿画像光が読み取られて電気的な画像データに変換される。
【００４２】
一方、原稿移動方式によって原稿Ｇの原稿画像を読み取る場合、光源ユニット１４０及
びミラーユニット１４１が図２に示される位置に静止したまま、自動原稿送り装置１２０によって原稿Ｇが図２に示される位置の上部を通過するように副走査方向Ｘの一方側に搬送される。
【００４３】
そして、原稿読取ガラス１４４上を通過した原稿Ｇの一方の面に、光源ユニット１４０からの光が該原稿読取ガラス１４４を介して照射されて該一方の面で反射される。原稿Ｇから反射された光は、上述の原稿固定方式と同様に第１ミラーから第２ミラーさらに第３ミラーによって光路変換され、集光レンズ１４２を介して撮像素子１４３に結像し、ここで原稿画像が読み取られて電気的な画像データに変換される。
【００４４】
本発明の実施形態に係る光源ユニット１４０として、一つ又は二つ以上の導光部材を備えたものとして構成することができる。ここでは、二つの導光部材１３０を備えた光源ユニット１４０を例にとって以下に説明する。図４は、本実施形態に係る光源ユニット１４０の概略断面図であり、図５は、本実施形態に係る光源ユニット１４０の概略構成を示す概略斜視図である。
【００４５】
図４は、図５中に示すＡ−Ａ位置での断面図であり、後述する導光部材に設けられた突起の形成位置での断面図となっている。光源ユニット１４０は、フレーム１４５と、第１ミラー１４６と、光源基板１４７と、光源駆動回路基板１４８と、放熱板１４９と、ホルダー部材１５０と、導光部材１３０を備えている。
【００４６】
フレーム１４５は、主走査方向に長尺な板状部材の所定箇所を打ち抜き加工や折り曲げ加工により加工して、他の部材を固定支持する部材である。フレーム１４５に設けられた複数の孔は、他の部材をビス等によって取り付けるために用いられる。また、折り曲げて底部に対して立設された部分は、各部材の位置決めや固定に用いられる。
【００４７】
第１ミラー１４６は、ガラスの一面に銀蒸着で反射膜を形成したものであり、反射膜が形成された反射面と、反射面に略直交する端面と、反射面に対向する裏面を有しており、その断面形状は略矩形状で角部が面取り加工されている。また第１ミラー１４６は、それぞれ図示しないミラーホルダによってフレーム１４５に固定されており、原稿によって反射された読取光の光路上に所定位置及び所定角度で配置されている。第１ミラー１４６は、後述するホルダー部材１５０のスリットを通過してきた読取光が最初に入射するミラーであり、スリットの略直下に位置している。
【００４８】
光源基板１４７は、プリント配線基板等の表面上に発光素子（図示せず）を搭載した部材である。図５に示すように、光源基板１４７は導光部材１３０の両端部に対向するようにホルダー部材１５０に取り付けられている。光源基板１４７には、導光部材１３０の端面に向けて光を出射するための光学系を設けていても良い。発光素子としては、ＬＥＤ（Light Emitting Diode）が装置の小型化や点光源としての特性を有しているため最も適しているが、ＬＥＤの代わりに、他の種類の半導体素子や電球等を適用しても構わない。
【００４９】
光源駆動回路基板１４８は、光源基板１４７に搭載された発光素子を駆動制御する駆動回路を搭載した基板であり、フレーム１４５上のホルダー部材１５０外部に取り付けられている。光源駆動回路基板１４８には図示しないハーネスの一端が接続されている。ハーネスの他端は、ホルダー部材１５０の周囲に沿って延伸されて光源基板に接続され、発光素子を駆動する電力は制御信号を伝達する。
【００５０】
放熱板１４９は、熱伝導率の高い金属などにより形成された板状部材であり、光源基板１４７の裏面に熱的に接触して配置されている。したがって、発光素子が発光することで生じた熱は、光源基板１４７の裏面を経由して放熱板に伝達され、外部に放散される。
【００５１】
ホルダー部材１５０は、二本の導光部材１３０を保持する部材であり、主走査方向に長尺な枠形状の壁部１５１と、壁部１５１と一体に形成された略半円柱側面の取付凹部１５２とを有している。壁部１５１はフレーム１４５の底面に対して略鉛直方向に配置されており、二つの取付凹部１５２が凹部を原稿面側に向けて形成されている。それぞれの取付凹部１５２には、導光部材１３０が位置決めして固定されている。また、二つの取付凹部１５２の間には、原稿から反射してきた読取光が通過するスリットが設けられている。壁部１５１の壁面には、後述する導光部材１３０の突起やゲートが係合する孔部１５３ｃ、１５３ｄ、１５３ｅ、１５３ｆが形成されている。
【００５２】
導光部材１３０は、透光性を有する略円柱状で主走査方向に延びる長尺な透光性本体１３０ａを備え、透光性本体の長手方向の両端にそれぞれの光入射面が形成され、透光性本体１３０ａの長手方向に沿う側面に光出射面が形成され、透光性本体１３０ａの長手方向に沿う光出射面と対向する他の側面に光反射面が形成されている。この導光部材１３０は、アクリル樹脂を金型で成形することにより形成される。
【００５３】
また、導光部材１３０の反射面は、光射出面に沿った幅方向から視て微小な三角形状（例えばノコギリ状）に形成されている。また、長手方向の中央に行くに従って光量を向上させるという観点から、三角形状に形成された反射面の山と山との頂点間の間隔は、長手方向の中央に行くに従い次第に小さくなっている。反射面の形状としてはノコギリ状に限定されず他の形状でもよく、光が均一となるように反射するように設計しておけば、成型やブラスト加工、印刷技術によって形成してもよい。
【００５４】
このような光源ユニット１４０の構成では、導光部材１３０の両端の光入射面にそれぞれ発光素子が対峙し配置されている。したがって、各発光素子から出射された光は、導光部材１３０の光入射面に入射して導光部材１３０の内部で導光され、光出射面から直接出射されるか、光反射面で反射されて光出射面から出射される。
【００５５】
各導光部材１３０の光出射面は、原稿載置台９２を介して原稿の同一箇所に向けられており、各導光部材１３０の光出射面から出射されたそれぞれの光が原稿の同一箇所に入射して、原稿のその箇所が照明され、原稿のその箇所で反射された反射光が読取光としてスリットＳｔを通じて第１ミラー１４６に到達してミラーユニット１４１に向けて反射される。
【００５６】
図６は、導光部材１３０についてさらに詳しく説明する概略斜視図であり、図６Ａは全体斜視図であり、図６Ｂは端部を拡大した部分拡大斜視図であり、図６Ｃは長手方向中央周辺を拡大した部分拡大斜視図である。
【００５７】
図６Ａに示すように、導光部材１３０は、略円柱状で長尺な透光性本体１３０ａの側面に沿って主走査方向の全体にわたって凸部（リブ）１３０ｂが形成されている。また、図６Ｃに示すように、導光部材１３０の略中央には主走査方向に所定幅をもってゲート１３０ｃ、１３０ｅが形成されている。さらに、導光部材１３０の主走査方向における略中心（略中央）から一方の端部に向けて偏った位置には、略半円形上の突起１３０ｄ、１３０ｆが形成されており、長手方向に非対称となっている。また、ゲート１３０ｃ、１３０ｅと突起１３０ｄ、１３０ｆは、凸部１３０ｂの一部が副走査方向に延長された形状となっている。ここで、透光性本体１３０ａ、凸部１３０ｂ、ゲート１３０ｃ、１３０ｅおよび突起１３０ｄ、１３０ｆは一体に形成されている。
【００５８】
導光部材１３０各部の大きさは特に限定されず、光源ユニット１４０全体の設計に対応させて原稿に照射する光量の分布が均一となるように適宜設計可能である。一例として、透光性本体１３０ａを直径約２ｍｍの円柱形状とした場合に、凸部１３０ｂとゲート１３０ｃ、１３０ｅと突起１３０ｄ、１３０ｆの厚さを約１ｍｍとし、凸部１３０ｂの副走査方向の幅は約２ｍｍとする。ゲート１３０ｃ、１３０ｅと突起１３０ｄ、１３０ｆは、凸部１３０ｂからさらに約２ｍｍ突出して形成されており、突起１３０ｄ、１３０ｆは半径約２ｍｍの半円形状である。
【００５９】
図６Ａ〜Ｃに示したように、二本の導光部材１３０は、所定の間隔をおいて原稿の光照射面に沿った副走査方向に並んでおり、互いに長手方向が揃うように配設されている。また、二本の導光部材１３０はゲート１３０ｃ、１３０ｅと突起１３０ｄ、１３０ｆの形成位置が同一であり、互いに回転対称な配置となっている。したがって、導光部材１３０の一方と他方を入れ替えて配置することも可能である。
【００６０】
導光部材１３０の主走査方向全体にわたって凸部（リブ）１３０ｂが形成されていることから、導光部材１３０の長手方向における機械的強度が増加し、撓みの発生を抑制して光照射が不均一になる可能性を低減できる。
【００６１】
また、ゲート１３０ｃ、ｅ及び突起１３０ｄ、ｆが凸部１３０ｂに形成されていることから、透光性本体１３０ａの端面から入射した光が透光性本体１３０ａの内部を伝搬していく過程において、一部の光が凸部１３０ｂに到達しても、凸部１３０ｂからゲート１３０ｃ、ｅ及び突起１３０ｄ、ｆに光が到達する可能性を著しく低減できる。よって、導光部材１３０にゲート１３０ｃ、ｅ及び突起１３０ｄ、ｆを形成しても、ゲート１３０ｃ、ｅや突起１３０ｄ、ｆによる光の散乱や、光量の集中、ゲート１３０ｃ、ｅや突起１３０ｄ、ｆからの光の取り出し等を抑制し、光量に不均一な領域が発生する可能性を低減することができる。このとき、凸部１３０ｂを設けていることで光量に不均一な領域が発生することを防止できるので、ゲート１３０ｃ、ｅ及び突起１３０ｄ、ｆの設計についての自由度を高くすることができる。
【００６２】
次に、ホルダー部材１５０について図面を用いてさらに詳細に説明する。図７は、導光部材１３０を取り除いた状態の光源ユニット１４０を示す概略斜視図である。図８は、光源ユニット１４０の一方の端部を拡大して示す概略斜視図である。図９は、図７に示したＢ−Ｂ’線のＢ側端部での断面を示す断面斜視図である。図１０は、図７に示したＢ−Ｂ’線のＢ’側端部での断面を示す断面斜視図である。
【００６３】
図７に示すように、ホルダー部材１５０の主走査方向における略中心には、対向する両壁面に貫通する孔部１５３ｃ、１５３ｅが形成されている。また、ホルダー部材１５０の主走査方向における略中心から一方の端部に向けて偏った位置には、壁面を貫通する孔部１５３ｄ、１５３ｆが形成されている。ここで、一方の壁面に形成された孔部１５３ｄは図中Ｂ’方向に偏った位置に形成されており、他方の壁面に形成された孔部１５３ｆは図中Ｂ方向に偏った位置に形成されて、それぞれ回転対称の位置となっている。
【００６４】
孔部１５３ｃ、１５３ｅには、導光部材１３０のゲート１３０ｃ、１３０ｅが挿入されて係合される。また、孔部１５３ｄ、１５３ｆには、導光部材１３０の突起１３０ｄ、１３０ｆが挿入されて係合される。先に述べたゲート１３０ｃ、１３０ｅと突起１３０ｄ、１３０ｆの形成位置と同様に、孔部１５３ｃ、１５３ｅ、１５３ｄ、１５３ｆは互いに回転対称な配置となっている。したがって、導光部材１３０の一方と他方を入れ替えて配置することが可能である。
【００６５】
図８から図１０に示すように、ホルダー部材１５０の長手方向端部には、導光部材１３０の端面と対向する壁面に開口部１５４が形成されている。ホルダー部材１５０の壁面外部には光源基板１４７が取り付けられており、光源基板１４７に搭載された発光素子（図示せず）が開口部１５４から内側に臨むように配置されている。また、ホルダー部材１５０の長手方向壁面に沿って、壁部１５１に段差として支え部１５５が形成されている。支え部１５５はホルダー部材１５０の長手方向に沿って全体にわたって形成されており、長手方向端部の壁面では支え部１５５が延伸されて開口部１５４と連通する段差部１５６が形成されている。
【００６６】
図１１は、導光部材１３０をホルダー部材１５０に取り付けた場合の断面斜視図である。導光部材１３０を取付凹部１５２に取り付ける際には、導光部材１３０の一方の端面をホルダー部材１５０の一方の開口部１５４に対向させ、導光部材１３０に力を印加して若干撓ませながら取付凹部１５２に嵌めこみ、他方の開口部１５４にも他方の端面を対向させる。導光部材１３０の撓みを復元させると、図１１に示すように、導光部材１３０のゲート１３０ｃと突起１３０ｄがそれぞれ孔部１５３ｃ、１５３ｄに挿入されて係合される。同様にもう一本の導光部材１３０を取り付ける場合にも、ゲート１３０ｅと突起１３０ｆがそれぞれ孔部１５３ｅ、１５３ｆに挿入されて係合される。
【００６７】
ここで、ゲート１３０ｃ、１３０ｅ、突起１３０ｄ、１３０ｆは、それぞれ対応する位置に形成されている孔部１５３ｃ、１５３ｅ、１５３ｄ、１５３ｆとそれぞれ係合するため、光源ユニット１４０において導光部材１３０が正確かつ容易に位置合わせされる。また、導光部材１３０は主走査方向に対しても上下方向に対しても規制されるため、振動等による撓みや反りも抑制される。
【００６８】
また、突起１３０ｄ、１３０ｆは、導光部材１３０の主走査方向における略中心から一方の端部に向けて偏った位置に設けられて非対称となっている。したがって、導光部材１３０の表裏を間違えて反射面が上に光出斜面が下になるような配置では、取り付け作業者が突起１３０ｄ、１３０ｆの位置が通常と異なることを容易に視認でき、導光部材１３０の誤った取り付けを防止できる。さらに、取り付け作業者が突起１３０ｄ、１３０ｆの位置が通常と異なることに気付かなかったとしても、突起１３０ｄ、１３０ｆは孔部１５３ｄ、１５３ｆが形成されていない壁部１５１と干渉することから、導光部材１３０を取付凹部１５２に取り付けることはできず、導光部材１３０の誤った取り付けを確実に防止できる。
【００６９】
図１２は、導光部材１３０を取付凹部１５２に取り付けた状態を示す模式断面図である。図１１および図１２に示したように、凸部１３０ｂは支え部１５５によって、主走査方向の全体にわたって支えられている。したがって、導光部材１３０は取付凹部１５２と支え部１５５とによって、全体が均一に安定して保持される。また、ゲート１３０ｃ、ｅと突起１３０ｄ、ｆがそれぞれ孔部１５３ｃ、ｅ、ｄ、ｆにそれぞれ係合されるため、導光部材１３０の上下方向への移動が規制される。よって、導光部材１３０の撓みや反りを抑制するとともに、導光部材１３０の回転を規制するため、導光部材１３０を正確かつ容易に位置合わせしつつ導光部材１３０の反りを低減し、且つ被照射体へ照射される光量の均一化を図ることが可能となる。
【００７０】
図１３は、開口部１５４での導光部材１３０と段差部１５６との関係を示す模式平面図である。開口部１５４は、ホルダー部材１５０の主走査方向端部の壁部１５１に設けられており、透光性本体１３０ａと略同径の貫通孔内に光源基板１４７上の発光素子が配置されている。また、壁部１５１の厚さ方向で途中まで溝状に段差部１５６が形成されており、支え部１５５と開口部１５４とは段差部１５６で連通している。
【００７１】
導光部材１３０を取付凹部１５２に取り付ける際に、導光部材１３０を支え部１５５に沿って開口部１５４に対向させると、開口部１５４と略同一径の透光性本体１３０ａは開口部１５４の内部に部分的に挿入される。また、段差部１５６は壁部１５１の厚さ方向で途中まで形成されて規制部を構成しており、壁部１５１を貫通していないため、凸部１３０ｂの端面は厚さ方向の途中で壁部１５１と当接する。したがって、凸部１３０ｂの端面が段差部（規制部）１５６当接する位置で導光部材１３０が規制され、主走査方向の位置が決まる。
【００７２】
また、段差部１５６は凸部１３０ｂの厚さと同程度の幅の溝である嵌入孔として形成されており、凸部１３０ｂの上下方向への移動を規制し、導光部材１３０の回転を規制する。また、支え部１５５と開口部１５４が段差部１５６で連通していることにより、導光部材１３０の長手方向端部での撓みを規制することができる。
【００７３】
さらに、段差部１５６と凸部１３０ｂの端面とが当接した状態でも、導光部材１３０の端面と光源基板上の発光素子とは所定距離だけ隔てられており、その距離も一定に保たれる。よって、発光素子と導光部材１３０との位置も正確かつ容易に位置合わせすることができ、被照射体へ照射される光量の均一化を図ることが可能となる。また、導光部材１３０の端面が発光素子と接触して破損することも防止できる。
【００７４】
（第２実施形態）
次に本発明の第２実施形態について説明する。第１実施形態と共通の構成については説明を省略する。図１４は、第２実施形態の導光部材１３０について説明する概略斜視図であり、図１４Ａは全体斜視図であり、図１４Ｂは端部を拡大した部分拡大斜視図であり、図１４Ｃは長手方向中央周辺を拡大した部分拡大斜視図である。
【００７５】
図１４Ａ〜Ｃに示すように、本実施形態での導光部材１３０は、略円柱状で長尺な透光性本体１３０ａの略中央には、主走査方向に所定幅をもってゲート１３０ｃ、１３０ｅが形成されている。さらに、導光部材１３０の主走査方向における略中心（略中央）から一方の端部に向けて偏った位置には、略半円形上の突起１３０ｄ、１３０ｆが形成されている。ここで、透光性本体１３０ａ、ゲート１３０ｃ、１３０ｅおよび突起１３０ｄ、１３０ｆは一体に形成されている。
【００７６】
導光部材１３０各部の大きさは特に限定されず、光源ユニット１４０全体の設計に対応させて原稿に照射する光量の分布が均一となるように適宜設計可能である。一例として、透光性本体１３０ａを直径約２ｍｍの円柱形状とした場合に、ゲート１３０ｃ、１３０ｅと突起１３０ｄ、１３０ｆの厚さを約１ｍｍとする。ゲート１３０ｃ、１３０ｅと突起１３０ｄ、１３０ｆは、透光性本体１３０ａから約２ｍｍ突出して形成されており、突起１３０ｄ、１３０ｆは半径約２ｍｍの半円形状である。
【００７７】
図１４Ａ〜Ｃに示したように、二本の導光部材１３０は、所定の間隔をおいて原稿の光照射面に沿った副走査方向に並んでおり、互いに長手方向が揃うように配設されている。また、二本の導光部材１３０はゲート１３０ｃ、１３０ｅと突起１３０ｄ、１３０ｆの形成位置が同一であり、互いに回転対称な配置となっている。したがって、導光部材１３０の一方と他方を入れ替えて配置することも可能である。
【００７８】
ここで、ゲート１３０ｃ、１３０ｅ、突起１３０ｄ、１３０ｆは、それぞれ対応する位置に形成されている孔部１５３ｃ、１５３ｅ、１５３ｄ、１５３ｆとそれぞれ係合するため、光源ユニット１４０において導光部材１３０が正確かつ容易に位置合わせされる。また、導光部材１３０は主走査方向に対しても上下方向に対しても規制されるため、振動等による撓みや反りも抑制される。また、導光部材１３０の撓みや反りを抑制するとともに、導光部材１３０の回転を規制するため、導光部材１３０を正確かつ容易に位置合わせしつつ導光部材１３０の反りを低減し、且つ被照射体へ照射される光量の均一化を図ることが可能となる。
【００７９】
また、突起１３０ｄ、１３０ｆは、導光部材１３０の主走査方向における略中心から一方の端部に向けて偏った位置に設けられて非対称となっている。したがって、導光部材１３０の表裏を間違えて反射面が上に光出斜面が下になるような配置では、取り付け作業者が突起１３０ｄ、１３０ｆの位置が通常と異なることを容易に視認でき、導光部材１３０の誤った取り付けを防止できる。さらに、取り付け作業者が突起１３０ｄ、１３０ｆの位置が通常と異なることに気付かなかったとしても、突起１３０ｄ、１３０ｆは孔部１５３ｄ、１５３ｆが形成されていない壁部１５１と干渉することから、導光部材１３０を取付凹部１５２に取り付けることはできず、導光部材１３０の誤った取り付けを確実に防止できる。
【００８０】
（第３実施形態）
第１実施形態では光源ユニット１４０が導光部材１３０を二本備えた例を示したが、導光部材１３０と取付凹部１５２が一方のみで構成されていてもよい。ホルダー部材１５０の壁部１５１には、他の実施形態と同様に孔部１５３ｃ、ｄが形成されているため、導光部材１３０のゲート１３０ｃおよび突起１３０ｄを挿入して係合させることで、導光部材１３０を正確かつ容易に位置合わせしつつ導光部材１３０の反りを低減し、且つ被照射体へ照射される光量の均一化を図ることが可能となる。
【００８１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００８２】
５０      原稿カバー
９０      原稿読取部（原稿読取装置）
９２      原稿載置台（原稿読取装置）
１００    画像形成装置
１２０    自動原稿送り装置（原稿読取装置、原稿カバー）
１３０    導光部材
１３０ａ  透光性本体
１３０ｂ  凸部
１３０ｃ、ｅ  ゲート
１３０ｄ、ｆ  突起
１４０    光源ユニット
１４３    撮像素子
１４５    フレーム
１５０    ホルダー部材
１５２    取付凹部
１５３ｃ〜ｆ  孔部
１５４    開口部
１５５    支え部
１５６    段差部
【図１】
0006359898.tif 000002
【図２】
0006359898.tif 000003
【図３】
0006359898.tif 000004
【図４】
0006359898.tif 000005
【図５】
0006359898.tif 000006
【図６Ａ】
0006359898.tif 000007
【図６Ｂ】
0006359898.tif 000008
【図６Ｃ】
0006359898.tif 000009
【図７】
0006359898.tif 000010
【図８】
0006359898.tif 000011
【図９】
0006359898.tif 000012
【図１０】
0006359898.tif 000013
【図１１】
0006359898.tif 000014
【図１２】
0006359898.tif 000015
【図１３】
0006359898.tif 000016
【図１４Ａ】
0006359898.tif 000017
【図１４Ｂ】
0006359898.tif 000018
【図１４Ｃ】
0006359898.tif 000019